(57)【要約】     【課題】  クリンプの波長が各々相違する多数の合成樹脂製筆毛よりなるものの場合、空間率が大きくなり易く、穂先のまとまりが劣り、筆記時のタッチが悪いといった問題を持たざるを得ず、また、４種のテーパー長さの違うポリエステル繊維よりなる筆穂は、全てストレートであって先端をテーパー化した繊維を用いるため穂先のまとまりは良いが、筆毛が密集過ぎて、塗布液が穂先内を流動しにくく、低粘度塗布液では流動するが、高粘度塗布液は、筆記時に筆跡がカスレてしまう問題を有していた。    【解決手段】  先端をテーパー化した合成樹脂製の筆毛よりなる筆穂であって、この筆穂が、ストレートな断面が円形な２種類の筆毛とストレートな断面が異形な筆毛とを少なくとも混毛してなる筆穂において、このストレートな筆毛の繊維の直径を０．１０〜０．２０ｍｍにすると共に、断面が異形な筆毛の直径を０．１０〜０．２０ｍｍにした筆穂。【選択図】  図１
2008055742.tif 000002
【特許請求の範囲】
【請求項１】
先端をテーパー化した合成樹脂製の筆毛よりなる筆穂であって、この筆穂が、ストレートな断面が円形な２種類の筆毛とストレートな断面が異形な筆毛とを少なくとも混毛してなる筆穂において、このストレートな筆毛の繊維の直径を０．１０〜０．２０ｍｍにすると共に、断面が異形な筆毛の直径を０．１０〜０．２０ｍｍにしたことを特徴とする筆穂。
【請求項２】
前記ストレートな断面が円形な筆毛が、ポリアミド製の筆毛とポリエステル製の筆毛から少なくとも構成される請求項１記載の筆穂。
【請求項３】
ストレートな断面が円形な筆毛が３０〜８０重量％、ストレートな断面が異形な筆毛が２０〜７０重量％である請求項１、或いは、請求項２に記載の筆穂。
【発明の詳細な説明】
【技術分野】
【０００１】
本発明は、アイライナーやリップカラーなどの化粧液、筆跡修正液、接着剤といった、特に、高粘度塗布液の塗布具に用いられるもの並びに顔料粒子の大きいものに用いられる筆穂に関し、高粘度塗布液又は、顔料粒子の大きい塗布液の塗布時の穂先まとまりと腰の安定性が良好で、塗布液の吐出性が良く、細い曲線描き（筆穂を塗布面に押し付けて、細い曲線描きしたときに安定した曲線が描ける）を良好となした筆穂に関する。
【背景技術】
【０００２】
従来、内部をインキ収容室となした軸筒の先端開口に筆穂を取り付けた筆ペンが知られている。
この筆ペンは、インキとして、筆記用インキや墨汁といった低粘度のものを用い、筆穂の材料として、ポリアミド（６、６−ナイロン、６−ナイロン、１２−ナイロン、６，１０−ナイロン、６，１２−ナイロンなど）、ポリオレフィン（ポリエチレン、ポリプロピレンなど）ポリエステル（ポリエチレンテレフタレート、ポリブチレンテレフタレートなど）、ポリウレタン、ポリアクリル、ポリアクリロニトリル、アクリロニトリル−スチレン共重合物、アクリロニトリル−ブタジエン−スチレン共重合物などの合成繊維よりなる筆毛を集束したものを用いたものである。
【０００３】
上記筆記用インキや墨汁は、染料や顔料などの着色材と水溶性有機溶剤と水とを含むものが一般に用いられており、その粘度は、２５℃において２．７〜４．０ｍＰａ・ｓの範囲である。本発明における低粘度インキ（又は、低粘度塗布液）とは、この粘度範囲に含まれる物を示す。
【０００４】
そこで、上記筆穂は、合成樹脂製繊維の先端をテーパー化してなる筆毛を、その基部を糸などで結束したり、接着剤で接着したり、熱を加えて溶着したりして形成したものが用いられている。
因みに、合成樹脂製繊維の先端をテーパー化し、筆毛となすためには、合成樹脂製繊維を溶解又は分解する処理液に接触させる方法が提案されている（特許文献１、特許文献２参照）。
【０００５】
さらに、上記筆穂は塗布液保持量を向上させる目的の提案も種々行われている。例えば、筆毛を波状にクリンプして、その波長が各々相違する多数の先端をテーパー化した合成樹脂製筆毛よりなる筆穂（特許文献３参照）やポリエステル繊維を加水分解により得た４種類のテーパー長さの違う繊維を混毛してなる筆穂（特許文献４参照）や、先端をテーパー加工した、径の異なるストレートな筆毛とクリンプを有する筆毛と断面が異形な筆毛とを少なくとも混毛してなる筆穂（特許文献５参照）などが提案されている。
【０００６】
【特許文献１】特公昭４９−６１５９号公報（実施例１〜実施例３）。
【特許文献２】特公昭６０−３０５５６号公報（第５欄第３５行目〜第８欄第４行目）。
【特許文献３】実開昭６２−１１４７８１号公報（第２図）。
【特許文献４】実開昭５６−８３０７３号公報（実用新案登録請求の範囲）。
【特許文献５】実開平６−２４９７６号公報（段落００１５）。
【発明の開示】
【発明が解決しようとする課題】
【０００７】
しかしながら、上記、クリンプの波長が各々相違する多数の合成樹脂製筆毛よりなるものの場合、空間率が大きくなり易く、穂先のまとまりが劣り、筆記時のタッチが悪いといった問題を持たざるを得ず、また、４種のテーパー長さの違うポリエステル繊維よりなる筆穂は、全てストレートであって先端をテーパー化した繊維を用いるため穂先のまとまりは良いが、筆毛が密集過ぎて、塗布液が穂先内を流動しにくく、低粘度塗布液では流動するが、高粘度塗布液は、筆記時に筆跡がカスレてしまう問題を有していた。更に、先端をテーパー加工した径の異なる２種類のストレートな筆毛とクリンプを有する筆毛と断面が異形な筆毛を少なくとも混毛してなる筆穂は、穂先のまとまりと吐出性は良いが先端の腰が弱いと言う問題が残されていた。
因みに、本発明における塗布液は、その粘度が２５℃において６〜２００ｍＰａ・ｓの範囲であるもの、即ち、比較的高粘度の、例えば、アイライナーなどの塗布液に使用するのが好ましい。
【０００８】
又、顔料粒子の大きさは、１μｍ以上のものを示す。尚、平均粒子径としては１．０〜１０．０μｍが好ましく、特に、パール顔料場合には、その平均粒子径としては７０〜１００μｍのものが好ましい。
【課題を解決するための手段】
【０００９】
本発明は、上記問題に鑑みなしたものであって、高粘度塗布液又は、顔料粒子の大きい塗布液を塗布する筆穂であって、塗布時の筆穂のまとまりと腰の安定性が良好で、塗布液の吐出性が良く、筆穂を押し付けて曲線描きしたときに、細い曲線が安定して描ける筆穂を提供することを目的とし、その要旨を「先端をテーパー化した合成樹脂製の筆毛よりなる筆穂であって、この筆穂が、ストレートな断面が円形な２種類の筆毛とストレートな断面が異形な筆毛とを少なくとも混毛してなる筆穂において、このストレートな筆毛の繊維の直径を０．１０〜０．２０ｍｍにすると共に、断面が異形な筆毛の直径を０．１０〜０．２０ｍｍにしたことを特徴とする筆穂。」とする。
【発明の効果】
【００１０】
本発明は、先端をテーパー化した合成樹脂製の筆毛よりなる筆穂であって、この筆穂が、ストレートな断面が円形な２種類の筆毛とストレートな断面が異形な筆毛とを少なくとも混毛してなる筆穂において、このストレートな筆毛の繊維の直径を０．１０〜０．２０ｍｍにすると共に、断面が異形な筆毛の直径を０．１０〜０．２０ｍｍにしたので、塗布時の筆穂のまとまりと腰安定性が良好で、又液含みが良く、筆穂を押し付けて曲線描きした際、細線が安定して描ける筆穂が得られるものである。
【発明を実施するための最良の形態】
【００１１】
以下、本発明について説明する。図１において、参照符号１は化粧用筆穂であり、この筆穂１は、前軸５に挿入固定され、この前軸５は後軸６の前端に挿入固定され、筆を形成している。
筆穂１は、先端をテーパー化したストレートな断面が異形な筆毛２、３と、先端をテーパー化した断面が異形な筆毛４とを用いて長手方向に集束し、後端を熱溶着や接着剤による接着などの方法により固着して形成したものである。
【００１２】
筆毛に使用している合成樹脂製の材質としては、ポリアミド（６，６−ナイロン、６−ナイロン、１２−ナイロン、６，１０−ナイロン、６，１２−ナイロンなど）ポリエステル（ポリエチレンテレフタレート、ポリブチレンテレフタレートなど）、ポリウレタン、ポリアクリロニトリル、アクリロニトリル−スチレン共重合物、アクリロニトリル−ブタジエン共重合物などを用いることができるが、各筆毛の材質は同一であっても異なっていても良い。
先端をテーパー化したストレートな筆毛２、３は、市販品としてはタイネックスブラッシュフィラメント：Ｒｏｕｎｄタイプ０９００シリーズ（材質：ナイロン、デュポン社製）と、ＰＢＴブリッスル５２０Ｔ−０．１５Ｗ−９０Ｃ（材質：ポリエステル、東レ社製）などが挙げられる。
先端をテーパー化した断面が異形な筆毛４は、市販品としてはタイネックス  フイラメント：Ｑｕａｄｒｉｌｏｂａｌ  タイプ０９２０シリーズ（材質：ナイロン、断面形状：クローバー状、デュポン社製）タイネックスブラッシュフィラメント：タイプ０９６０シリーズ（材質：ナイロン：断面形状シーホース型、デュポン社製）、タイネックスブラッシュフィラメント：Ｈｏｌｌｏｗタイプ０９５０シリーズ（材質：ナイロン、断面形状：ドーナツ状、デュポン社製）、カシミロンＴＡＢＲシリーズ（材質：ポリアクリロニトリル、断面形状：略三角形、旭化成工業（株）製）などが例示できる。
尚、断面形状異形とは、筆毛の軸方向に垂直な面の形状が円形以外のものであり、上記市販品として例示したように、略十字状（図３参照）、略三角形状（図４参照）、略Ｙ字状、クローバー状や半円状、矩形状のものがあり、特に断面が略十字状といった放射状形状のものの方が半円形、矩形状のものより顕著な効果を示すので好ましい。
【００１３】
筆毛に使用するストレートな断面が円形な筆毛２、３とストレートな断面が異形な筆毛４は、同一の筆穂内で混毛されており、この混毛した筆毛より1つの筆穂を構成している。
この筆穂１は、ストレートな断面が円形な筆毛２、３とストレートな断面が異形な筆毛４を少なくとも混毛し、このすべての筆毛の繊維の直径が０．１０〜０．２０mmのものを用いるのが好ましい。尚、ここで言う筆毛の径とはテーパー加工されていない部分の径を言うものである。以下、具体的に混合割合などを説明する。
【００１４】
ストレートな断面が円形な筆毛を使用する目的は、筆毛２は、塗布時の腰安定の目的で使用するもので、筆毛３は、穂先のまとまりと細線を描くために使用するものである。その直径としては、筆毛２は、０．１０〜０．２０ｍｍ程度が好ましく、筆毛３は、０．１０〜０．２０ｍｍ程度が好ましい。その理由は、筆毛２の直径が０．１０ｍｍに満たないと筆穂先端の腰が弱く筆記時に腰砕けすることがあり、直径が０．２０ｍｍを超えると腰が強すぎて、筆記時に筆穂側面から筆毛がはみ出すからである。又、筆毛３の直径が０．１０ｍｍに満たないと筆穂の復元性が悪くなり、直径が０．２０ｍｍを超えると穂先のまとまりが悪くなり細線が描けないからである。又、筆毛２、３は、繊維径が同一の場合もしくは、同一でない場合であっても弾性、或いは、材質、硬度の異なる筆毛を使用することができる。
又、筆穂１に占める使用割合としては、ストレートな筆毛２は、１０〜３０重量％が好ましく、又、ストレートな筆毛３は、２０〜５０重量％が好ましい。その理由は、ストレートな筆毛２が１０重量％に満たないと腰が安定しにくく、腰砕けすることがあり、ストレートな筆毛２が３０重量％を超えると塗布液の保持性が悪くなったり、筆記時に筆穂側面から筆毛がはみ出すからである。又、ストレートな筆毛３が２０重量％に満たないと筆穂のまとまりを悪くすることがあり、ストレートな筆毛３が５０重量％を超えると塗布液の保持性が低下するからである。
尚、ストレートな筆毛は、直径が０．１０〜０．２０ｍｍの範囲であれば、何種類使用しても良い。
【００１５】
断面が異形の筆毛４は、塗布液の吐出性向上の目的のために使用するものである。その直径として筆毛４は、０．１０〜０．２０ｍｍ程度が好ましい。その理由は、直径が０．１０ｍｍに満たないと空間率が小さくなり吐出性が低下し、直径が０．２０ｍｍを超えると空間率が大きくなりすぎ筆穂のまとまりが悪くなるからである。
又、筆穂１に占める割合としては、２０〜７０重量％程度が好ましい。その理由は、２０重量％に満たないと空間率が小さくなりすぎて、塗布液の吐出を悪くすることがあり、７０重量％を超えると空間率が大きくなりすぎ筆穂がバラケたり割れたりすることがあるからである。
【００１６】
発明の筆穂を製造するに当たっては、上記３種類の筆毛を少なくとも混毛し、後端を溶着、接着又は、後部を糸などで縛って筆毛の脱落を防止して筆穂となす訳であるが、混毛された筆穂は、ストレートな断面が円形な筆毛２、３とストレートな断面が異形な筆毛４とがお互いに均一に配列されていることが好ましい。
【００１７】
以下、実施例を説明する。
図１は、本発明の化粧用筆穂の使用例である筆を示すものである。参照符号１は、アイライナーの筆穂であり、後述する筆毛２、３、４、を混毛し、その後部を溶着したものである。その筆穂１は、前軸５に挿入固定され、この前軸５は後軸６の先端に挿入固定され、筆を形成している。
筆毛は、先端をテーパー化したストレートな断面が円形な筆毛２、３と、先端をテーパー化したストレートな断面が異形な筆毛４を用いるが、他の条件を表１に示す。
【００１８】
【表１】
2008055742.tif 000003
【００１９】
実施例１〜１３、比較例１〜１４
表２に実施例１〜１３、並びに、比較例１〜１４の筆穂の筆毛の配合を示す。
【００２０】
【表２】
2008055742.tif 000004
【００２１】
上記実施例１〜１３び比較例１〜６のアイライナー筆穂を用いて図１のように筆を形成し、化粧料の塗布試験をおこなった（表３参照）。
塗布試験（アンケート調査）
方法：任意に抽出した女性にアイライナーの使用性についてアンケート調査を実施した。
【００２２】
【表３】
2008055742.tif 000005
【図面の簡単な説明】
【００２３】
【図１】本考案の一実施例の穂先を装着した筆の正面図である。
【図２】筆穂の拡大模式図である。
【図３】断面が異形な筆穂の断面図である。
【図４】異形な筆穂の変形例を示す断面図である。
【符号の説明】
【００２４】
１      筆穂
２      先端をテーパー化したストレートな断面が円形な筆毛
３      先端をテーパー化したストレートな断面が円形な筆毛
４      先端をテーパー化したストレートな断面が異形な筆毛
５      前軸
６      後軸
【図１】
2008055742.tif 000006
【図２】
2008055742.tif 000007
【図３】
2008055742.tif 000008
【図４】
2008055742.tif 000009